(57)【要約】【課題】膨張収縮面に設けられた凹凸が違和感が感じさせてしまうことがないものとする。【解決手段】一面が人体との接触面、他面が支持体によって支持される面となっているマッサージ用エアバッグであり、片面がフラットな非膨張面７１、他の片面が膨張収縮面７２となっているものであり、且つその膨張収縮面７２が支持体側に、非膨張面が人体との接触側に配置されている。膨張収縮のための山谷による凹凸が人体との接触側の面になく、フラットな非膨張面が人体との接触側にあるために人体に違和感を感じさせてしまうことがない。【選択図】図１
2010240307.tif 000002
【特許請求の範囲】
【請求項１】
一面が人体との接触面、他面が支持体によって支持される面となっているマッサージ用エアバッグであって、片面がフラットな非膨張面、他の片面が膨張収縮面となっているものであり、且つその膨張収縮面が支持体側に、非膨張面が人体との接触側に配置されていることを特徴とするマッサージ用エアバッグ。
【請求項２】
ほぼ平坦な足置き面を形成するとともに位置転換によって人体脚部の側方に位置させることができる可動部材を上記支持体としたものであることを特徴とする請求項１記載のマッサージ用エアバッグ。
【請求項３】
周縁からエアの給排用のノズルを突出させたものであるとともに、上記非膨張面側から周囲に延出したフランジが上記ノズルを覆っているものであることを特徴とする請求項１または２記載のマッサージ用エアバッグ。
【請求項４】
複数個が並置されているとともに、一方のエアバッグの周縁から突出させたエア給排用のノズルを、他のエアバッグの非膨張面側から周囲に延出したフランジが覆っているものであることを特徴とする請求項１または２記載のマッサージ用エアバッグ。
【請求項５】
膨張収縮面における谷部の内面側が収縮時にフラットな非膨張面の内面側に接触しているものであることを特徴とする請求項１〜４のいずれか１項に記載のマッサージ用エアバッグ。
【請求項６】
フラットな非膨張面が非伸縮性材で被覆されているとともに該非伸縮性材は上記非膨張面に固定、もしくは非膨張面の周縁に固定されていることを特徴とする請求項１〜５のいずれか１項に記載のマッサージ用エアバッグ。
【請求項７】
上記非伸縮性材は上記非膨張面側から周囲に延出したフランジに直接または補強材を介して固定されていることを特徴とする請求項６記載のマッサージ用エアバッグ。
【発明の詳細な説明】
【技術分野】
【０００１】
本発明は、マッサージ用エアバッグ、殊に足置き面を備えるオットマン型マッサージ機に好適に用いることができるマッサージ用エアバッグに関するものである。
【背景技術】
【０００２】
脚部に対するマッサージ機能を備えたオットマンとして、一面に脚部を納めることができる２本の溝を備えているとともに、ほぼ平行に設けられたこれら溝の内壁に膨張収縮駆動されるエアバッグを配し、溝内に使用者の脚部を納めた状態でエアバッグを膨張収縮させることで脚部における溝内に位置させている部分に対してマッサージを行うものが知られている（特許文献１参照）。
【０００３】
しかし、この種のオットマンは、脚部を納めるだけの深さを持つ２つの溝が表面に存在しているために、マッサージ用途としてではなく、脚部をくつろがせるための足置きとしては問題がある。
【０００４】
この問題に対し、図６〜図８に示す形態のものとすることで対処することが考えられる。すなわち、底板２から立ち上がる左右一対の側板３，３間に中央壁４を配置して各側板３と中央壁４との間に夫々人体の脚部を納めるための溝５，５を設けるとともに、上記両溝５，５の開口部を覆って閉じる状態（図７参照）と、側板３に添う位置にあって溝５を開放した状態との間で回動する開閉板３２，３２を設けて、この開閉板３２の表面にエアバッグ部７を設けるのである。なお、図示例においては中央壁４の両側面にもエアバッグ部７，７を配置している。
【０００５】
この場合、溝５を開いてエアバッグ部７を膨張収縮させることで、溝５に収めた人体脚部のマッサージを行うことができ、開閉板３２で溝５を閉じてしまえば、両側板３，３間にほぼフラットな足置き面を形成することができるために、足置き面の上に脚部を置いて脚部をくつろがせることもできるものとなる。
【先行技術文献】
【特許文献】
【０００６】
【特許文献１】特開２００４−２０８８８０号公報
【発明の概要】
【発明が解決しようとする課題】
【０００７】
ところで、マッサージ用エアバッグとしては、袋状のもの、蛇腹状のもの等があるが、耐久性の点などから、表面に同心円状の谷と山を交互に形成した合成樹脂製のものが多用されている。このエアバッグでは加圧エアを充填した際、中央部が大きく突出する形で膨らむわけであるが、上記開閉板の表面に配したエアバッグは、収縮させた時も、人体の脚部と接する面に上記谷と山とによる凹凸が存在するものとなるために、開閉板で上記溝を閉じてほぼ平坦な足置き面を形成した時、上記凹凸のある面で脚を受けることになり、使用者にしてみれば違和感を感じるものとなって、十分に脚をくつろがせることができない。
【０００８】
また、加圧エアを充填した際に足置き面の表面が膨張することから、エアバッグをカバーで覆う場合、膨張分を見越した弛みを持たせた生地、あるいは伸縮性のある生地でカバーを作成するほかはなく、例えば革のような高級感のある素材を用いることはできず、意匠的に制限の多いものとなっている。
【０００９】
本発明は上記の従来の問題点に鑑みて発明したものであって、膨張収縮のために設けられている凹凸が使用者に対して違和感を感じさせてしまうことがないマッサージ用エアバッグを提供することを課題とするものである。
【課題を解決するための手段】
【００１０】
上記課題を解決するために本発明に係るマッサージ用エアバッグは、一面が人体との接触面、他面が支持体によって支持される面となっているマッサージ用エアバッグであって、片面がフラットな非膨張面、他の片面が膨張収縮面となっているものであり、且つその膨張収縮面が支持体側に、非膨張面が人体との接触側に配置されていることに特徴を有している。
【００１１】
膨張収縮させることによるマッサージができるのはもちろんのこと、そのフラットな非膨張面が人体との接触側の面となっているために、膨張収縮のための山谷による凹凸が人体に違和感を感じさせてしまうことがないものである。
【００１２】
ほぼ平坦な足置き面を形成するとともに位置転換によって人体脚部の側方に位置させることができる可動部材を上記支持体としたものであることが好ましい。マッサージを行わない時、ほぼ平坦でくつろげる上に人体脚部に違和感を感じさせることがない足置き面を得ることができる。
【００１３】
上記エアバッグは周縁からエアの給排用のノズルを突出させたものであるとともに、上記非膨張面側から周囲に延出したフランジが上記ノズルを覆っているものであることが望ましい。ノズル部分が表面に凹凸として現れることがなく、さらに違和感のないものを得ることができる。
【００１４】
複数のエアバッグが並置されているとともに、一方のエアバッグの周縁から突出させたエア給排用のノズルを、他のエアバッグの非膨張面側から周囲に延出したフランジが覆っているものとしてもよい。この場合、ノズルが違和感を招いてしまうことがないものを、エアバッグの成形性を損なうことなく得ることができる。
【００１５】
そして上記エアバッグは、その収縮時、膨張収縮面における谷部の内面側がフラットな非膨張面の内面側に接触しているものであると、フラットな非膨張面が脚部の荷重で凹んでしまうことを抑えることができる。
【００１６】
上記エアバッグは、そのフラットな非膨張面が非伸縮性外装材で被覆されているとともに該非伸縮性材は上記非膨張面に固定、もしくは非膨張面の周縁に固定されていることが好ましい。革などの高級感のある材を外装として用いることが容易となる。
【００１７】
また、上記非伸縮性外装材は上記エアバッグの非膨張面側から周囲に延出したフランジに直接または補強材を介して固定されていると、外装材の固定が容易となる。
【発明の効果】
【００１８】
本発明は、エアバッグを膨張収縮させることによってマッサージを得られるものであり、しかも凹凸が存在することになる膨張収縮面はエアバッグを支持する支持体側にあり、フラットな非膨張面が人体との接触側の面となっているために、エアバッグの膨張収縮のための山谷による凹凸が人体に違和感を感じさせてしまうことはなく、しかも非伸縮性の高級感のある外装を表面に施すこともできる。
【図面の簡単な説明】
【００１９】
【図１】本発明の実施の形態の一例におけるエアバッグ部を示すもので、(a)は分解斜視図、(b)は断面図である。
【図２】同上のエアバッグを示すもので、(a)は表面側の斜視図、(b)は裏面側の斜視図である。
【図３】同上のエアバッグの斜視図である。
【図４】(a)(b)は夫々エアバッグの断面図である。
【図５】他例のエアバッグの斜視図である。
【図６】の実施の形態の一例の斜視図である。
【図７】同上の溝を閉じた状態の斜視図である。
【図８】同上の溝を開いた状態の斜視図である。
【図９】椅子に連結した状態のものを示す斜視図である。
【発明を実施するための形態】
【００２０】
以下、本発明を添付図面に示す実施形態の一例を説明すると、このマッサージ用エアバッグは、足置き台として機能するとともに人体脚部に対するマッサージも行うことができるオットマン用として設けたもので、まずオットマン１の全体構造を図６〜図８に示す。底板２の左右両端から一対の側板３，３を立ち上げるとともに左右方向中央から中央壁４を立ち上げて、各側板３，３と中央壁４との間にほぼ平行に並ぶ溝５，５を夫々設けている。上記側板３，３は、固定ガイド部３０とこの固定ガイド部３０の三方外面を囲む断面コ字形のスライド部３１とからなるものであるとともに、中央壁４側に可動部材である開閉板３２を取り付けたものとなっている。
【００２１】
固定ガイド部３０が上記底板２に固定されたものであるのに対し、スライド部３１は固定ガイド部３０に対してスライド自在となっており、底板２もしくは固定ガイド部３０に一端を連結しているレイジートング６の他端がスライド部３１に連結されている。該レイジートング６を伸縮させれば、スライド部３１は固定ガイド部３０に対してスライドし、この結果、側板３は伸縮して底板２からの高さが変化する。なお、側板３の底板２からの高さは、側板３を縮めた時に中央壁４の底板２からの高さとほぼ同じとなり、側板３を伸ばした時には中央壁４の上記高さよりも高くなる。
【００２２】
上記レイジートング６の伸縮は、モータ（図示せず）によって回転駆動されるねじ軸６５の正ねじ部と逆ねじ部とに夫々螺合するナット（図示せず）をレイジートング６の対となる軸部６０，６０に設けて、ねじ軸６５を回転させることで上記両軸部６０，６０間の間隔を変更することにより行うものとなっている。
【００２３】
そして開閉板３２は側板３におけるスライド部３１の端部に軸３３で連結されることでスライド部３１に対して回動自在となっているものであるとともに、一端が軸３４で開閉板３２に連結されたリンク３５の他端が固定ガイド部３０に回動自在に連結されており、該リンク３５の存在により、側板３が伸びて底板２からの高さが高くなる時、図８に示すように、開閉板３２は側板３の中央壁４側の面に添う状態となり、側板３を縮めた時にはリンク３５によって押し広げられて、図７に示すように溝５の開口部を覆う。
【００２４】
側板３のスライド伸縮に伴って開閉板３２が回動し、側板３を高くした時には溝５が開放され、側板３を低くした時には溝５が開閉板３２で閉じられて両側壁３，３間にほぼ平坦な足置き面が開閉板３２によって形成されるものである。
【００２５】
ここにおいて、開閉板３２の表面と、中央壁４の左右の側面とにはエアバッグ部７が夫々配設されている。図示していないエアポンプと給排気弁とによるエアの供給と排気とによって膨張収縮する上記エアバッグ部７はマッサージ用のものであり、側板３を伸ばすことで溝５の開口部を開いた状態で人体の脚部を溝５内に納め、この状態でエアバッグ部７を膨張収縮させれば、エアバッグ部７は脚部における溝５内に位置する部分を圧迫したり開放したりしてマッサージを行う。
【００２６】
側板３を縮めた時には上述のように溝５が開閉板３２によって閉じられて開閉板７のエアバッグ部７が配されている面がオットマンの表面にほぼ平坦な足置き面を形成するものであり、このために人体の脚部は溝５によって規制されることなくオットマン１の表面に置くことができる。この時、側板３は縮んで底板２からの高さも低くなっているために、マッサージをしない時のオットマンの高さを抑えることができる。
【００２７】
図９は上記オットマン１を椅子８の座部８０の前部側にリンク機構１０によって上下に回動自在に配設したものを示している。側板３を縮めて高さを低くするとともに座部８０の前端から垂れ下がる状態とすれば、側板３が邪魔になることなく椅子８に座ったり椅子８から立ち上がることができる。そしてオットマン１を座部８０の前方側に回動させれば、椅子８に座る使用者はオットマン１のほぼ平坦な足置き面の上に脚を置くことができ、溝５によって足の位置が規制されることがないくつろいだ状態を得ることができる。
【００２８】
また、側板３を伸ばせば、それまで開閉板３２で覆われていた溝５が出現し、該溝５に脚部を入れて溝５の内壁に位置するエアバッグ部７を膨張収縮させることで脚部に対するマッサージを得ることができる。
【００２９】
次に上記オットマン１が備えるエアバッグ部７のうち、開閉板３２の表面に配したエアバッグ部７について詳述すると、このエアバッグ部７は、図１に示すように、並置した２つのエアバッグ７０，７０と、補強板７６と、外装材７７とからなるもので、各エアバッグ７０は、図２及び図３に示すように、片面がフラットな非膨張面７１、他の片面が膨張収縮面７２となっている合成樹脂製の中空体であり、膨張収縮面７２には同心円状の谷と山が交互に形成されており、フラットな非膨張面７１の周縁からはフランジ７４が外周側に向けて一体に延出されている。
【００３０】
このエアバッグ７０は、周縁から一体に突出しているノズル７３を通じて加圧エアが充填されると、図１(b)に鎖線で示すように膨張収縮面７２の中央部が大きく突出する形で膨らむものの、非膨張面７１は殆ど膨らむことなく、ほぼフラットな状態を保持する。
【００３１】
そして、このオットマン１においては、開閉板３２へのエアバッグ部７の取り付けを、そのフラットな非膨張面７１が表面にくるように、膨張収縮面７２が支持体である開閉板３２側にくるように取り付けている。つまり、図７に示したほぼ平坦な足置き面を形成する時、エアバッグ７０のフラットな非膨張面７１を人体の脚部と接触する側としている。このために前記溝５を閉じる位置において開閉板３２表面（エアバッグ部７表面）が足置き面を形成する時、エアバッグ７０を膨張収縮自在とするために設けなくてはいけない山谷による凹凸が人体に違和感を与えてしまうことがないものである。
【００３２】
前記外装材７７は非膨張面７１側の表面に配されて周縁が上記フランジ７４に固定されるものであり、非膨張面７１側に配するものであるとともに、開閉板３２とは何ら繋がっておらず、エアバッグ７０の膨張による開閉板３２までの距離の変化の影響を受けるものではないために、ここでは非伸縮性で且つ高級感を得ることができる革７７ａと弾性を有するパッド７７ｂとで外装材７７を構成している。
【００３３】
開閉板３２を前述のように側板３に添わせた状態として溝５に人体の脚部を納め、この状態でエアバッグ部７（エアバッグ７０）を膨張させれば、外装材７７が配されたフラットな非膨張面７１が人体脚部に圧力を加えてマッサージを行う。
【００３４】
ところで、エアバッグ７０に設けたノズル７３の部分は、やはり人体に違和感を与える凹凸を形成することになるために、ここでは並置した２つのエアバッグ７０の一方から延出したフランジ７４が他方のエアバッグ７０のノズル７３を覆うことで、外装材７７側にはノズル７３による凹凸が現れることがないようにしている。ちなみに、並置した２つのエアバッグ７０は、同形同大のものである。
【００３５】
一方のエアバッグ７０のノズルを他方のエアバッグ７０のフランジ７４で覆うようにしているのは、つまり各エアバッグ７０においてノズル７３のある部分にフランジ７４を形成していないのは、エアバッグ７０の成形を容易とするためであるが、図５に示すように、ノズル７３を自身のフランジ７４で覆うようにしてもよいのはもちろんである。
【００３６】
このほか、エアバッグ７０のフラットな非膨張面７１は完全な剛性体ではないために、加圧エアの充填時や人体の脚部の重みが加わった場合、少々の撓みが生じる。膨張させた時の撓みは人体に圧力を加えるために膨張させていることから問題とならないものの、フラットな状態に保ちたい収縮時に人体の脚部の重みで凹みが生じてしまうのは好ましいものではない。
【００３７】
このために、ここでは図４(b)に示すように、エアバッグ７０の収縮時、膨張収縮面７１側の谷部の内面側がフラットな非膨張面７１の内面側に接触するものとして形成してある。非膨張面７１の撓みを膨張収縮面７２が抑制するようにしているものである。なお、図４(a)はこの種のエアバッグ７０の一般的な断面形状を示しており、膨張収縮面７１側の谷部の内面側はフラットな非膨張面７１の内面から離れており、非膨張面７１の撓みを谷部が抑制することはない。
【００３８】
エアバッグ部７の開閉板３２への取り付けは、エアバッグ部７の一側縁を開閉板３２の側縁に連結することで行えばよい。また、エアバッグ７０を膨張させた時、エアバッグ部７の外装材７７と開閉板３２との間にエアバッグ７０が露出する隙間が生じるが、この隙間は前記フランジ７４と開閉板３２との間を弛みのある生地あるいは伸縮性のある生地からなるカバーで覆うことで隠すことができる。
【００３９】
側板３を伸縮自在なものとするとともに側板３の伸縮に伴って開閉板３２が溝５を開く位置と溝５を閉じる位置とを切り換えるものである必要はなく、また側板３が伸縮しないものでもよいのはもちろんである上に、エアバッグ７０が表面に配される上に位置転換によってほぼ平坦な足置き面を形成する部材として、上記実施例では溝５を開閉する回動自在な開閉板３２を備えたものを示したが、人体脚部のマッサージのためのエアバッグ７０が、可動部材の位置転換で足置き面となるところに位置するものであれば、本発明を適用することができる。
【００４０】
また、オットマンに用いられて人体脚部に対するマッサージを行うものを示したが、本発明はオットマン用に限定されるものではない。さらに非膨張面７１が全く膨張しないことを意味するのではないことは、上記の説明から明らかである。
【符号の説明】
【００４１】
１  オットマン
７  エアバッグ部
７１  非膨張面
７２  膨張収縮面
【図１】
2010240307.tif 000003
【図２】
2010240307.tif 000004
【図３】
2010240307.tif 000005
【図４】
2010240307.tif 000006
【図５】
2010240307.tif 000007
【図６】
2010240307.tif 000008
【図７】
2010240307.tif 000009
【図８】
2010240307.tif 000010
【図９】
2010240307.tif 000011